(57)【要約】【課題】  畳表に皺が寄ったり破れたりするのを防止するための緩衝材を畳表や畳床と非接着にすることで、接着剤を不要にするとともに、廃棄のときの分別を容易にする。また、表替えも可能にする。【解決手段】  畳床を畳表で被覆した畳において、畳床の上面に素材自体が滑り止め材で構成されるか又は素材の表面に滑り止め加工を施した緩衝体を非接着で載せ、緩衝体の上方を畳表によって緊張状態で被覆する。【選択図】  図１
2012077535.tif 000002
【特許請求の範囲】
【請求項１】
畳床を畳表で被覆した畳において、畳床の上面に素材自体が滑り止め材で構成されるか又は素材の表面に滑り止め加工を施した緩衝体を非接着で載せ、緩衝体の上方を畳表によって緊張状態で被覆したことを特徴とする畳。
【請求項２】
緩衝体の表面の滑り止め加工が上面か上面及び下面である請求項１の畳。
【請求項３】
畳表が畳床の側面又は下面にまで折り返されて畳床に固定されている請求項１又は２の畳。
【請求項４】
緩衝体が畳床の側面又は下面にまで折り返され、畳表と一緒に又は別々に畳床に固定されている請求項１〜３いずれかの畳。
【請求項５】
緩衝体が畳床の上面にだけ載せられる請求項１〜３いずれかの畳。
【請求項６】
緩衝体が畳床の上面に部分的に載せられる請求項５の畳。
【請求項７】
畳表又は／及び緩衝体の畳床との固定が縫着である請求項１〜４いずれかの畳。
【発明の詳細な説明】
【技術分野】
【０００１】
本発明は、畳に関するものである。
【背景技術】
【０００２】
畳には、比較的厚い旧来の一畳サイズの畳（以下、旧来畳という）或いは洋間等に部分的に敷く比較的薄い半畳サイズの畳（以下、薄畳という）とがある。これらの畳に共通していることは、芯となる畳床を表装材である畳表で覆っている点である。この場合の畳床としては、ポリスチレンフォームにインシュレーションボードを重ねた建材床を使用していることが多い（旧来畳では稲藁等を加えることもある）。また、畳表には、い草の織物が一般的であるが、布の織布、紙その他もある。
【０００３】
ところで、床に敷き込んだ畳に脚等を斜めに強く突っ込むと、畳表に皺が寄ったり、破れたりすることはよく経験することである。このため、畳表を畳床に被覆する場合、表面を緊張状態にしてこれらを回避している。ところが、このように畳表を緊張状態にすると、畳自体が上方に反り返るが、敷いたときにその自重で平坦に近づく。しかし、こうしたとしても、皺が寄ったり、破れたりるするのは完全に抑えることはできない。そこで、下記特許文献１に示されるように、畳床と畳表の間に皺寄りや破れの力を減弱する緩衝体を介在させ、これら畳床、緩衝体及び畳表を接着剤で接着したものが提案されている。
【０００４】
ところが、接着剤で接着していると、皺等の原因になる延びは抑制されるものの、一旦皺がよったものは元には戻らない。また、廃棄等に際して各素材を分類するとき、接着剤を剥がさなければならないから、非常に手間と時間をとる。さらに、畳表に上質材を使用しているようなときに、これを裏返して使う表替えができない（接着剤から剥がしてあるから）。その他、接着剤を使用することで、作業環境を悪化させるということもある。
【先行技術文献】
【特許文献】
【０００５】
【特許文献１】実開昭６２−１５１３３８号公報
【発明の概要】
【発明が解決しようとする課題】
【０００６】
本発明は、緩衝体は使用するものの、緩衝体と畳床及び畳表を接着しないことにより、上記した種々の欠点を解消したものである。
【課題を解決するための手段】
【０００７】
以上の課題の本、本発明は、請求項１に記載した、畳床を畳表で被覆した畳において、畳床の上面に素材自体が滑り止め材で構成されるか又は素材の表面に滑り止め加工を施した緩衝体を非接着で載せ、緩衝体の上方を畳表によって緊張状態で被覆したことを特徴とする畳を提供したものである。
【０００８】
また、本発明は、以上の畳において、請求項２に記載した、緩衝体の表面の滑り止め加工が上面か上面及び下面である手段、請求項３に記載した、畳表が畳床の側面又は下面にまで折り返されて畳床に固定されている手段、請求項４に記載した、緩衝体が畳床の側面又は下面にまで折り返され、畳表と一緒に又は別々に畳床に固定されている手段、請求項５に記載した、緩衝体が畳床の上面にだけ載せられる手段、請求項６に記載した、緩衝体が畳床の上面に部分的に載せられる手段、請求項７に記載した、畳表又は／及び緩衝体の畳床との固定が縫着である手段を提供する。
【発明の効果】
【０００９】
請求項１の発明によると、緩衝体は素材そのものが滑り止め材で構成されているか表面に滑り止め加工を施してあるものであるから、畳表に斜め方向の強い力がかかっても、その力を減弱して皺が寄ったり、破れたりすることが少ない。また、畳床、緩衝体及び畳床は互いに非接着であるから、接着剤を使用することによる欠点が生じない。例えば、畳表を裏返す表替えで新品同様に再使用するようなことも可能である。
【図面の簡単な説明】
【００１０】
【図１】本発明に係る畳の断面図である。
【図２】本発明に係る畳の他の例の一部断面図である。
【発明を実施するための形態】
【００１１】
以下、本発明の実施の形態を最近多く使用される薄畳を例にとって図面を参照して説明する。図１は本発明に係る畳の断面図であるが、この畳は、畳床１と、緩衝体２と、畳表３とからなる。畳床１は本来の藁床であってもよいが、薄畳は厚みが２０ｍｍ以下が多いことから、安価なポリスチレンフォームにベニヤ板やインシュレーションボード板を重ねた建材床が適する。
【００１２】
緩衝体２は建材床の硬さを緩衝するとともに、畳表３にかかる力を減弱して滑り等を防止するもので、一般的な発泡樹脂体が使用されるが、ポリエステルの織布、不織布が緩衝作用が強く、滑り止め効果が十分であることから、適正度が高い。畳表３は、い草、植物、樹脂の織布、不織布があるが、中でも、厚手の布製の上質クロスを使用すると美観に優れて肌触りがよいが、高価なのが難点である。
【００１３】
次に、この畳の製畳方法について説明すると、畳床１の上面に緩衝体２を載せる（接着しない）。本例における畳表３の載せ方は、畳床１の大きさと同じものを全面的に載せているが、部分的に載せてもよい。この緩衝体２は素材そのものが滑り止め材で構成されているか又は上面に滑り止め加工が施された素材（以下、滑り止め加工品）を使用する。滑り止め材の具体例としては、上記のポリエステルの他にゴムシート、ポリオレフィン系の織布又は不織布等、摩擦係数の高いものが考えられる。
【００１４】
また、滑り止め加工品については、ポリエステルの織布又は不織布の表面にポリオレフィン系のパウダーを散布し、これにアイロン等を押し付けてボリオレフィン系樹脂を溶侵させたものの他、摩擦係数の高い材料の選択や処理が考えられる。
【００１５】
次いで、畳表３で畳床１及び緩衝体２を緊張状態（引っ張った状態）で包み込むように巻く。このとき、畳表３の端部は畳床１の側面に沿うか下面にまで回り込ませる。そして、これを畳床１に固定するのであるが、これを接着剤を使用しない機械的な固定による。具体的には、畳糸４による縫着が考えられるが、止金によるものでもよい。したがって、接着剤は不要になり、接着工程も必要としないし、作業環境も悪化しない。なお、畳表３は緊張状態で巻くので、多少上方に反り返るが、床に置いて上方から荷重をかければ元に戻る。
【００１６】
図２は本発明に係る畳の他の例を示す断面図であるが、緩衝体２の長手方向を畳床１よりも大きくし、その余部を本例のように畳床１の側面に降ろすものであってもよいし、下面にまで折り返すものであってもよい。さらに、畳表３の大きさは上記と同様であり、畳床１の側面で止める場合もあれば、本例のように下面まで折り返すこともある。さらに、その固定も上記と同様であるが、この場合は、緩衝体２と共締めすることになる。
【００１７】
以上により、畳表３に強い力がかかっても、緩衝体２の存在で滑り難く、皺が寄ったり破れたりし難い。そして、畳表３は緩衝体２に対して接着していないのであるから、畳表３が褪色した場合等に表裏引っくり返す表替えをして再使用することもできる。これを行うと、畳を新しくするのと同等な効果があり、非常に有効なものであり、特に、上質のクロス材等を使用している場合に効果が大きい。さらに、畳が古くなれば廃棄することになるが、このときには素材ごとに分別する必要がある。しかし、接着剤を使用していないのであるから、剥がし作業が必要なく、分別も容易、迅速である。
【００１８】
加えて、緩衝体２は当然ながらクッションの役割を果たし、踏歩感を向上させるとともに、建材床の畳床１を使用しても、その硬さを和らげる。この他、畳の上に不意に乗ったときに滑らないように、裏面に滑り止めを施してもよい。これには、上記した滑り止め材を貼ったり、滑り止め加工を施せばよい。なお、滑り止めは下面全体にしてもよいし、部分的にしてもよい。
【００１９】
以上は、本発明の基本的な形態であるが、緩衝体２の滑り止め加工は上面だけでなく、下面に施してもよい。こうすると、畳表３の滑りは更に抑制され、被覆時の緊張度合いも少なくてよい上に踏歩感、皺寄り防止が一層向上する。なお、両面の滑り止め加工はどのようなものでもよいが、上記と同じ方法によれば、工程が簡略化し、それほどのコスト増を招かない。さらに、旧来畳についても同様である。
【符号の説明】
【００２０】
１      畳床
２      緩衝体
３      畳表
４      畳糸
【図１】
2012077535.tif 000003
【図２】
2012077535.tif 000004